(57)【要約】      （修正有）【課題】安全かつ効率良くパルセータを取り外すことができ、洗濯機のクリーニング作業や部品等の交換・修理作業の効率を高めることのできる工具セットを提供する。【解決手段】基体２０、基体２０に螺進退自在に螺着された押込部材３０、及び水平方向へ回動可能となるよう基体２０に取付けられた複数の水平回動部材４０を備え、各水平回動部材４０に、パルセータを吊上げるための吊上部材５０を取付けるための取付孔が形成されている工具本体１０と、水平回動部材４０の取付孔に吊設可能なパルセータ吊上げ用の吊上部材５０と、押込部材３０の下端部を当接させる当接部６０ａを有し、当接部６０ａの下に、パルセータ及びパルセータ回転軸のネジ穴に遊挿され、パルセータ回転軸に突き当てられる突き当て部６０ｂを備えた軸当て部材６０とを含んでいる。【選択図】図１
0003153555.tif 000002
【実用新案登録請求の範囲】
【請求項１】
パルセータ回転軸に被せた状態で嵌着され、該パルセータ回転軸とともにネジ部材で固着された洗濯機のパルセータを取り外すための工具セットであって、
基体、該基体に螺進退自在に螺着された押込部材、及び水平方向へ回動可能となるよう前記基体に取付けられた複数の水平回動部材を備え、各水平回動部材に、前記パルセータを吊上げるための吊上部材を取付けるための取付部が形成されている工具本体と、
前記水平回動部材の取付部に吊設可能なパルセータ吊上げ用の吊上部材と、
前記押込部材の下端部を当接させる当接部を有し、該当接部の下に、前記ネジ部材が取り外された後の前記パルセータ及び前記パルセータ回転軸のネジ穴に遊挿されて、該パルセータ回転軸に突き当てられる突き当て部を備えた軸当て部材とを含んで構成されていることを特徴とするパルセータ取外し用工具セット。
【請求項２】
前記水平回動部材の取付部が、長手方向に複数形成されていることを特徴とする請求項１記載のパルセータ取外し用工具セット。
【請求項３】
前記吊上部材が、その先端部分に、前記パルセータにねじ込むためのネジ部が形成されているものであることを特徴とする請求項１又は請求項２記載のパルセータ取外し用工具セット。
【請求項４】
前記吊上部材が、その先端部分に、前記パルセータに形成された孔に引っ掛けるための引掛け部が形成されているものであることを特徴とする請求項１又は請求項２記載のパルセータ取外し用工具セット。
【請求項５】
前記吊上部材が、前記水平回動部材から吊下げる長さを調整するための調整部を備えていることを特徴とする請求項１〜４のいずれかの項に記載のパルセータ取外し用工具セット。
【請求項６】
パルセータ回転軸に被せた状態で嵌着され、該パルセータ回転軸とともにネジ部材で固着された洗濯機のパルセータを取り外すための工具であって、
基体と、
該基体に螺進退自在に螺着された押込部材と、
水平方向へ回動可能となるよう前記基体に取り付けられた複数の水平回動部材とを備え、
各水平回動部材に、前記パルセータを吊り上げるための吊上部材を取り付けるための取付部が形成され、
前記押込部材が、前記ネジ部材が取り外された後の前記パルセータ及び前記パルセータ回転軸のネジ穴に遊挿されて、該パルセータ回転軸に突き当てられた軸当て部材を介して前記パルセータ回転軸に押圧力を付与するためのものであることを特徴とするパルセータの取外し用工具。
【考案の詳細な説明】
【技術分野】
【０００１】
本考案はパルセータ取外し用工具セット、及び取外し用工具に関し、より詳細には洗濯機のクリーニングやモータ等の部品の修理や交換などを行う際に、洗濯機内槽の内底部に配設されたパルセータを取り外すための工具セット、及びその工具に関する。
【背景技術】
【０００２】
図７は、従来の全自動洗濯機の内部構造を示した要部断面図である。図８は、図７におけるパルセータとパルセータ回転軸との連結部分の拡大断面図である。
【０００３】
図中１は、筐体であり、筐体１の内部に有底円筒形状をした外槽（水槽）２が、防振機構３によって吊持されている。外槽２の内部には、洗濯槽と脱水槽とを兼ねた有底円筒形状の内槽４が配設され、内槽４の内底部には、洗濯運転時に洗濯水及び洗濯物を撹拌するためのパルセータ５が配設されている。
【０００４】
パルセータ５と内槽４とは、回転シャフト６に軸着され、回転シャフト６は、内槽４と外槽２とを貫通して、外槽２の外底部に配設された減速ギヤユニット７に連結されている。回転シャフト６は、内槽４を回転させるための内槽回転軸６ａと、パルセータ５を回転させるためのパルセータ回転軸６ｂとを含んで構成されている。パルセータ回転軸６ｂは、略円柱状に形成され、その先端部分には、所定深さのネジ穴６ｃ（図８参照）が形成されている一方、内槽回転軸６ａは、パルセータ回転軸６ｂを取り囲むように円筒状に形成されている。
【０００５】
また、パルセータ５の中央部には、パルセータ回転軸６ｂに嵌め込むための軸受部５ａ（図８参照）が設けられており、軸受部５ａをパルセータ回転軸６ｂに被せた状態で嵌め込んだ後、固定ネジ５ｂによって、パルセータ５とパルセータ回転軸６ｂとが固定されるようになっている。なお、パルセータ回転軸６ｂの先端部外周面には、軸心方向に沿って複数の溝が形成されており、これら溝と嵌合するよう軸受部５ａの内周面にも複数の溝が形成されている。
【０００６】
また、外槽２の外底部にはモータ８が配設されており、モータ８の回転駆動力は、ベルト９を介して減速ギアユニット７に伝達される。減速ギヤユニット７に伝達された駆動力は、内部の減速機構、クラッチ機構（図示せず）、さらに回転シャフト６を介して、洗濯時にはパルセータ５に伝達され、パルセータ５を回転させて洗濯水が攪拌されるようになっている一方、脱水時には内槽４に伝達され、内槽４とパルセータ５とを一体に回転させて脱水が行われるようになっている。
【０００７】
ところで、上記したパルセータ式の洗濯機のクリーニング（内槽４の外側や外槽２の内側などの洗浄等）を行う場合や、故障等によってモータ８等の部品を修理・交換する場合には、まず、パルセータ５を内槽４から取り外さなければならない。すなわち、パルセータ５の上部に締め付けられている固定ネジ５ｂを取り外して、パルセータ５を内槽４から取り出す。その後、内槽４と内槽回転軸６ａとを結合している内槽固定ナット６ｄなどを取り外して、内槽４を外槽２から取り外す作業などが行われる。
【０００８】
しかながら、洗濯機の使用年数が長くなると、パルセータ５の軸受部５ａとパルセータ回転軸６ｂとの結合（嵌合）部分に水垢、洗剤垢、錆びなどが付着し、軸受部５ａとパルセータ回転軸６ｂとの結合部分が癒着して、固定ネジ５ｂを取り外した状態であっても、パルセータ５をパルセータ回転軸６ｂから容易に取り外す（引抜く）ことができないという問題があった。
【０００９】
このような場合、パルセータ５に別途フック部材を引っ掛ける穴を開けて、前記フック部材を引っ掛け、作業者が手でフック部材を引き上げて、パルセータ５を引き抜く作業を行っていたが、防振機構３によって外槽２ごと持ち上がるため、パルセータ５を容易に取り外すことはできず、作業者の労力負担が大きく、また、パルセータ５に不要な穴をあけるため、パルセータ５を無駄に交換しなければならなかった。
【００１０】
また、上記方法でも取り外せない場合には、切断工具を用いて回転シャフト６を切断することもあったが、この場合、金属等の削り滓が多量に発生し、また、金属ピッチが内槽４等に付着して、これらの除去作業等にも時間を要すこととなり、また、これらの完全な除去も難しく、洗濯後の衣服に削り滓などが付着するなど、修理後のクレーム要因にもなっていた。また、パルセータ５のみならず、減速ギアユニット７も交換しなければならず、部品代などが高く付き、また、切断工具を使用するため、作業者への安全配慮上も好ましくなかった。
【００１１】
また、下記の特許文献１には、洗濯機のパルセータを取り外すための工具ではないが、洗濯機からプラスチック製の水槽を解体および回収するときに、水槽の外底部に突き出たシャフトに固着しているベアリングを引き抜くための引抜工具が開示されている。
【００１２】
特許文献１記載の引抜工具は、左右アーム部材の先端でベアリングを両側から挟み込む形態となっているものであるが、パルセータ５の径は、前記ベアリングの径と比較して何倍も大きいため、パルセータ５の両側を前記引抜工具で挟み込むことはできず、また、回転シャフト６はパルセータ５の上に突き出ない構成となっているため、前記引抜工具における押圧部材の押圧部を押し当てるのに適した場所がなく、特許文献１に記載されたような形態の引抜工具を、パルセータ５の取り外しにそのまま適用することはできない。
【００１３】
また、下記の特許文献２には、洗濯機の解体方法について開示されているが、パルセータ５を取り外すための工具については記載されておらず、洗濯機のクリーニングや部品等の修理・交換の際の使用に適したパルセータの取外し工具については、これまで検討されていなかった。
【先行技術文献】
【特許文献】
【００１４】
【特許文献１】特開２００５−２７９８０９号公報
【特許文献２】特表２００４−１０５９７３号公報
【考案の概要】
【課題を解決するための手段及びその効果】
【００１５】
本考案は上記課題に鑑みなされたものであって、安全かつ効率良くパルセータを取り外すことができ、かつパルセータの無駄な交換を少なくすることができ、洗濯機のクリーニング作業や部品等の交換・修理作業の効率を高めることのできるパルセータ取外し用工具セット、及びその工具を提供することを目的としている。
【００１６】
上記目的を達成するために本考案に係るパルセータ取外し用工具セット（１）は、パルセータ回転軸に被せた状態で嵌着され、該パルセータ回転軸とともにネジ部材で固着された洗濯機のパルセータを取り外すための工具セットであって、基体、該基体に螺進退自在に螺着された押込部材、及び水平方向へ回動可能となるよう前記基体に取付けられた複数の水平回動部材を備え、各水平回動部材に、前記パルセータを吊上げるための吊上部材を取付けるための取付部が形成されている工具本体と、前記水平回動部材の取付部に吊設可能なパルセータ吊上げ用の吊上部材と、前記押込部材の下端部を当接させる当接部を有し、該当接部の下に、前記ネジ部材が取り外された後の前記パルセータ及び前記パルセータ回転軸のネジ穴に遊挿されて、該パルセータ回転軸に突き当てられる突き当て部を備えた軸当て部材とを含んで構成されていることを特徴としている。
【００１７】
上記パルセータ取外し用工具セット（１）によれば、前記軸当て部材を、前記パルセータ及び前記パルセータ回転軸のネジ穴に遊挿状態で、該パルセータ回転軸に突き当てた状態とし、前記軸当て部材の当接部に前記押込部材の先端部を当接させ、前記吊上部材の一端側を前記水平回動部材の取付部に取り付けるとともに、他端側を前記パルセータに取り付ける。そして、前記押込部材を所定の方向に回転させると、これに螺合する前記基体が上方に螺進し、同時に前記水平回動部材に取り付けられた前記吊上部材も上方に移動する結果、前記パルセータが吊り上げられ、前記パルセータ回転軸から前記パルセータが引き抜かれる。
したがって、前記パルセータ回転軸に被せた状態で嵌着され、該パルセータ回転軸とともにネジ部材で固着された取付形態のパルセータであっても、安全かつ効率良く取り外すことができ、洗濯機のクリーニング作業や部品等の交換・修理作業の効率を高めることができる。
【００１８】
また、前記工具本体の前記水平回動部材を水平方向へ回動させることができるので、前記パルセータの平面の凹凸形状や裏面のリブの形状等を考慮して、前記吊上部材を取り付け易い位置に取り付けることができ、取付位置の調整自由度が高く、作業性を高めることができる。また、前記水平回動部材が前記基体に取付けられているので、前記基体を小さくすることができ、軽量化を図ることができ、また、前記基体が、前記吊上部材を前記パルセータに取り付ける際の邪魔になりにくく、前記吊上部材の取付作業性を高めることができる。
【００１９】
また本考案に係るパルセータ取外し用工具セット（２）は、上記パルセータ取外し用工具セット（１）において、前記水平回動部材の取付部が、長手方向に複数形成されていることを特徴としている。
【００２０】
上記パルセータ取外し用工具セット（２）によれば、前記水平回動部材の取付部が、長手方向に複数、例えば、所定間隔で形成されているので、前記吊上部材の取付位置をパルセータの形状等に応じて適宜調整することができる。
【００２１】
また本考案に係るパルセータ取外し用工具セット（３）は、上記パルセータ取外し用工具セット（１）又は（２）において、前記吊上部材が、その先端部分に、前記パルセータにねじ込むためのネジ部が形成されているものであることを特徴としている。
【００２２】
パルセータには、通常、中心から所定半径の円周上等に、直径１〜３ｍｍ程度の水抜き孔が複数形成されている。上記パルセータ取外し用工具セット（３）によれば、上記したパルセータに元々設けられている水抜き孔をネジ孔にして前記吊上部材のネジ部を取り付けることができる。したがって、前記パルセータに余分な孔を形成することなく、前記パルセータを引き抜くことができ、また、前記パルセータも交換せずに再度使用することも可能となる。
【００２３】
また本考案に係るパルセータ取外し用工具セット（４）は、上記パルセータ取外し用工具セット（１）又は（２）において、前記吊上部材が、その先端部分に、前記パルセータに形成された孔に引っ掛けるための引掛け部が形成されているものであることを特徴としている。
【００２４】
上記パルセータ取外し用工具セット（４）によれば、前記パルセータと前記パルセータ回転軸との癒着が激しく、上記したネジ部が形成された前記吊上部材を用いても取り外せない（前記ネジ部が抜ける）場合であっても、前記パルセータに形成された孔に、前記吊上部材の引掛け部を引っ掛けて引き抜くことができ、より確実に前記パルセータを引き抜くことができる。
【００２５】
また本考案に係るパルセータ取外し用工具セット（５）は、上記パルセータ取外し用工具セット（１）〜（４）のいずれかにおいて、前記吊上部材が、前記水平回動部材から吊下げる長さを調整するための調整部を備えていることを特徴としている。
【００２６】
パルセータの平面形状は凹凸形状となっているものが多く、前記吊上部材を取り付ける位置によっては、各水平回動部材から前記パルセータまでの距離（高さ）が異なることも想定される。上記パルセータ取外し用工具セット（５）によれば、前記調整部により、各水平回動部材から吊下げられる前記吊上部材の長さを調整することができ、引抜き時に、各水平回動部材に取り付けられた前記吊上部材に加わる力の分配を均一にすることができ、スムーズに前記パルセータを引き抜くことができる。
【００２７】
また本考案に係るパルセータ取外し用工具（１）は、パルセータ回転軸に被せた状態で嵌着され、該パルセータ回転軸とともにネジ部材で固着された洗濯機のパルセータを取り外すための工具であって、基体と、該基体に螺進退自在に螺着された押込部材と、水平方向へ回動可能となるよう一端側が前記基体に取り付けられた複数の水平回動部材とを備え、各水平回動部材に、前記パルセータを吊り上げるための吊上部材を取り付けるための取付部が形成され、前記押込部材が、前記ネジ部材が取り外された後の前記パルセータ及び前記パルセータ回転軸のネジ穴に遊挿されて、該パルセータ回転軸に突き当てられた軸当て部材を介して前記パルセータ回転軸に押圧力を付与するためのものであることを特徴としている。
【００２８】
上記パルセータ取外し用工具（１）によれば、前記水平回動部材に、前記吊上部材を取り付けるための取付部が形成され、前記水平回動部材を水平方向へ回動させることができるので、前記パルセータの平面の凹凸形状や裏面のリブの形状等を考慮して、前記吊上部材を取り付け易い位置に取り付けることができ、取付位置の調整自由度が高く、作業性を高めることができる。
【００２９】
また、前記パルセータは、洗濯機の内底部に配設されているので、取外し作業が行いにくい構造となっているが、前記水平回動部材が前記基体に回動自在に取付けられているので、前記基体を小さくすることができ、軽量化を図ることができ、また、前記基体が、前記吊下部材を前記パルセータに取り付ける際の邪魔にならず、作業性を高めることができる。
したがって、前記パルセータ回転軸に被せた状態で嵌着され、該パルセータ回転軸とともにネジ部材で固着された取付形態のパルセータであっても、安全かつ効率良く取り外すことが可能となり、洗濯機のクリーニング作業や部品等の交換・修理作業の効率を高めることができる。
【図面の簡単な説明】
【００３０】
【図１】本考案の実施の形態に係るパルセータ取外し用工具セットを示した斜視図である。
【図２】図１におけるII−II線断面図である。
【図３】実施の形態に係るパルセータ取外し工具セット（吊上ネジ部材を使用）が装着されたパルセータ引抜き前の状態を示した斜視図である。
【図４】図３におけるパルセータ回転軸付近を示した部分断面図である。
【図５】パルセータ引抜き後のパルセータ回転軸付近を示した部分断面図である。
【図６】実施の形態に係るパルセータ取外し工具セット（吊上フック部材を使用）が装着されたパルセータ引抜き前の状態を示した斜視図である。
【図７】従来の全自動洗濯機の内部構造を示した要部断面図である。
【図８】図７におけるパルセータとパルセータ回転軸との連結部分の拡大断面図である。
【考案を実施するための形態】
【００３１】
以下、本考案に係るパルセータ取外し用工具セット、及びその工具の実施の形態を図面に基づいて説明する。図１は、実施の形態に係るパルセータ取外し用工具セットの各部を示した斜視図であり、図２は、図１におけるII−II線断面図である。なお、実施の形態に係るパルセータ取外し工具セットが取り付けられる洗濯機の各部の構成は、図７、８に示した洗濯機の構成と略同様であるため、同一機能を有する構成部品には図７、８と同一符号を付し、ここではその説明を省略する。
【００３２】
図中１０は、工具本体（パルセータ取外し用工具）を示しており、工具本体１０は、基体２０と、基体２０に螺進退自在に螺着された押込部材３０と、水平方向へ回動可能となるよう一端側が基体２０に取付けられた３つの水平回動部材４０とを含んで構成されている。
【００３３】
基体２０は、上下の円板部２０ａと、これら円板部２０ａの間に所定の隙間ｓ（水平回動部材４０の一端を配置するための隙間）を形成するために設けられた連結部２０ｂとが一体化された、平面中央部における縦断面が略エの字形状をした円盤部材から構成されている。基体２０の平面中心部には、押込部材３０を螺合させるためのネジ孔２０ｃが形成されている。また、基体２０の円板部の周縁部３か所（円弧を略３等分する位置）にもネジ孔２０ｄが形成されており、ネジ孔２０ｄには、水平回動部材４０を水平方向に回動自在に支持するためのボルト２１が座金２２を介して螺着されている。
【００３４】
押込部材３０は、回転操作を行うための頭部３０ａと、雄ネジが切られた所定長さ（例えば、１０ｃｍ前後）の軸部３０ｂとを備えたボルト部材（螺杆）から構成されており、軸部３０ｂの下端が逆円錐形状に形成されている。なお頭部３０ａの形状は、六角形に限らず、連結される工具の形状にあっていればよい。
【００３５】
水平回動部材４０は、所定の長さ（パルセータ５の半径以下で５ｃｍ〜１５ｃｍ程度）で、基体２０の円板部２０ａの隙間ｓに入る厚さの平角棒材で構成されており、一端側の平面には、基体２０に螺着されたボルト２１が遊挿される挿通孔４０ａが形成され、他端側には、パルセータを吊上げるための吊上部材５０を吊設するための取付孔（取付部）４０ｂが、長手方向に複数個所形成されている。取付孔４０ｂの口径や形状は、吊上部材５０を吊設できるものであればよい。なお、本実施の形態では、取付孔（取付部）４０ｂが、長手方向に２箇所形成されている場合について説明するが、少なくとも１箇所以上形成されていればよい。
【００３６】
吊上部材５０には、パルセータ５の平面部に元々形成されている水抜き孔（直径約１〜３ｍｍ）５ｃ（図８参照）に先端部を螺着させた状態で吊り上げる形式の吊上ネジ部材５１と、パルセータ５の例えば、翼部（凸部）５ｄ（図６参照）等の箇所に、作業者により別途開けられた引掛け孔５ｅ（直径１０ｍｍ前後）（図６参照）に先端部分を挿入して引っ掛けた状態で吊り上げる形式の吊上フック部材５２とが適用され得る。
【００３７】
吊上ネジ部材５１には、直径数ｍｍ（３ｍｍ前後）で、所定長さ（１０〜１５ｃｍ程度）のさらネジを適用することができ、頭部５１ａを、取付孔４０ｂに係止させることにより、水平回動部材４０に吊り下げることができるようになっている。
【００３８】
吊上フック部材５２は、略Ｊ字形状をしたフック本体５２ａと、フック本体５２ａの上部に螺着されたナット部材５２ｂと、座金部材５２ｃとを含んで構成されており、座金部材５２ｃを、取付孔４０ｂに係止させることにより、フック本体５２ａを水平回動部材４０に吊り下げることができるようになっており、また、ナット部材５２ｂの位置を調整することで、フック本体５２ａの吊り下げ長さを適宜調整することが可能となっている。
【００３９】
これら吊上ネジ部材５１と吊上フック部材５２との使い分けは、例えば、最初に、吊上ネジ部材５１を使用してパルセータ５の引抜き作業を行い、吊上ネジ部材５１を使った方法では、取り外せない場合（例えば、パルセータ５とパルセータ回転軸６ｂとの癒着が激しい場合など）に、吊上フック部材５２を使用する方法を採用することができる。このような吊上部材５０の使い分けにより、パルセータ５に余分な孔を開けるケースを少なくすることが可能となる。
【００４０】
また、図中６０は、軸当て部材であり、軸当て部材６０は、押込部材３０の下端部を当接させるための凹部が形成されている当接部（頭部）６０ａと、当接部６０ａ下の突き当て部（軸部）６０ｂとを含む軸部材で構成されている。突き当て部６０ｂは、パルセータ５及びパルセータ回転軸６ｂのネジ穴６ｃ（固定ネジ５ｂの取付穴）に遊挿され、ネジ穴６ｃ底部に突き当てられるように、ネジ穴６ｃよりも径が小さく、また、ネジ穴６ｃに突き当てた状態で、パルセータ５から数センチ程度上に突き出る長さに設定されている。
これら工具本体１０と、吊上部材５０と、軸当て部材６０とを含んでパルセータ取外し用工具セットが構成されている。これら各部は、金属材料で形成されている。
【００４１】
次に、実施の形態に係るパルセータ取外し工具セットを用いたパルセータの取外し方法について説明する。
図３は、実施の形態に係るパルセータ取外し工具セット（吊上ネジ部材５１を使用）が装着されたパルセータ引抜き前の状態を示した斜視図であり、図４は、図３におけるパルセータ回転軸６ｂ付近を示した部分断面図である。また、図５は、パルセータ引抜き後のパルセータ回転軸６ｂ付近の状態を示した部分断面図である。
【００４２】
まず、固定ネジ５ｂ（図８参照）を緩めてパルセータ５から取り外す。次に、軸当て部材６０をパルセータ５及びパルセータ回転軸６ｂのネジ穴６ｃに挿入し、軸当て部材６０をネジ穴６ｃ底部に突き当てた状態に配置する。
【００４３】
吊上げネジ部材５１を用いて、パルセータ５を取り外す（引抜く）場合、基体２０に螺着されている押込部材３０の下端部を、軸当て部材６０の当接部６０ａ（の凹部）に載せる。次に、各水平回動部材４０を水平方向に回動させて、吊上げネジ部材５１を取り付けるのに適したパルセータ５の水抜き孔５ｃの上まで取付孔４０ｂを移動させる。次に、取付孔４０ｂに吊上げネジ部材５１を挿入し、吊上げネジ部材５１の先端部を水抜き孔５ｃに仮止めし、その後、インパクトドライバなどの締結工具を用いて、吊上げネジ部材５１の先端部を、水抜き孔５ｃにねじ込み、各水平回動部材４０に取り付けられた吊上げネジ部材５１を全て水抜き孔５ｃに螺着する（図３、４参照）。なお、吊上げネジ部材５１の径は、水抜き孔５ｃの径より少し大きいだけなので、大きな孔を開けることなく、また、確実に螺着させることが可能となっている。
【００４４】
次に、押込部材３０の頭部５１ａに、インパクトドライバなどの締結工具に取り付けられた六角ソケット（図示せず）を連結し、押込部材３０を所定の方向に回転させる。押込部材３０を回転させると、図４に示した状態から図５に示した状態に変化する。すなわち、基体２０が、押込部材３０に沿って上方に螺進し、同時に水平回動部材４０に吊り下げられた吊上ネジ部材５１も上方に移動することとなり、吊上ネジ部材５１に螺着されたパルセータ５も次第に吊り上げられ、結果、パルセータ回転軸６ｂからパルセータ５が引き抜かれる。
【００４５】
また、吊上ネジ部材５１に代えて吊上フック部材５２を用いて、パルセータ５を引き抜く場合、まず、穴あけ工具を用いて、パルセータ５の吊上フック部材５２を引っ掛ける箇所（例えば、翼部５ｄの上など）に引掛け孔５ｅ（図６参照）を形成する。
【００４６】
次に、水平回動部材４０の取付孔４０ｂに吊り下げられた吊上フック部材５２の下端部をパルセータ５の引掛け孔５ｅに挿入し、吊上フック部材５２をパルセータ５に掛止させる。なお、先に、吊上フック部材５２のフック本体５２ａの下端部を引掛け孔５ｅに引っ掛け、その後、フック本体５２ａの上端部を取付孔４０ｂに通し、座金部材５２ｃとナット部材５２ｂとを取り付けて取付孔４０ｂに係止させる取付方法でもよい。
【００４７】
次に、基体２０に螺着された押込部材３０の下端部を、パルセータ回転軸６ｂのネジ穴６ｃ底部に突き当てられた状態の軸当て部材６０の当接部６０ａに載せ、各水平回動部材４０を回動させながら吊上フック部材５２の位置を調整し、図６に示した引抜き前の状態にセットする。
【００４８】
次に、押込部材３０の頭部３０ａに、インパクトドライバに取り付けられた六角ソケットを連結し、押込部材３０を回転させる。すると、上記した吊上ネジ部材５１を用いたときと同様に、基体２０が、押込部材３０に沿って上方に螺進し、同時に水平回動部材４０に吊り下げられた吊上フック部材５２も上方に移動することとなり、吊上フック部材５２に掛止されたパルセータ５も次第に吊り上げられ、パルセータ回転軸６ｂからパルセータ５が引き抜かれる。
【００４９】
なお、吊上フック部材５２を用いる方法は、吊上ネジ部材５１を使用した方法ではパルセータ５を引き抜くことができない場合（パルセータ５とパルセータ回転軸６ｂとが非常に強く癒着している場合）などに適用すれば、パルセータ５へ余分な引掛け孔５ｅを開けるケースを少なくすることができ、パルセータ５を交換する必要もなく、ユーザが支払う部品代を抑えることも可能となる。
【００５０】
上記実施の形態に係るパルセータ取外し用工具セットによれば、軸当て部材６０を、パルセータ５及びパルセータ回転軸６ｂのネジ穴６ｃに遊挿状態で、パルセータ回転軸６ｂに突き当てた状態とし、軸当て部材６０の当接部６０ａに押込部材３０の下端部を当接させ、吊上部材５０の上端側を水平回動部材４０の取付孔４０ｂに係止させるとともに、下端側をパルセータ５に螺着又は掛止させる。そして、押込部材３０を回転させると、これに螺合する基体２０が上方に螺進し、同時に水平回動部材４０に取り付けられた吊上部材５０も上方に移動する結果、パルセータ５が吊り上げられ、パルセータ回転軸６ｂからパルセータ６が引き抜かれる。
【００５１】
したがって、パルセータ回転軸６ｂに被せた状態で嵌着され、パルセータ回転軸６ｂとともに固定ネジ５ｂで固着された取付形態のパルセータ５であっても、安全かつ効率良く取り外すことができ、洗濯機のクリーニング作業やモータ等の部品の交換・修理作業の効率を高めることができる。
【００５２】
また、工具本体１０に設けられた水平回動部材４０を水平方向へ回動させることができるので、パルセータ５の平面の凹凸形状や裏面のリブの形状等を考慮して、吊上部材５０を取り付け易い位置に取り付けることができ、取付位置の調整自由度が高く、作業性を高めることができる。また、水平回動部材４０が基体２０に取付けられているので、基体２０を小さくすることができ、軽量化を図ることができ、また、基体２０が、吊上部材５０をパルセータ５に取り付ける際の邪魔になりにくく、吊上部材５０の取付作業性を高めることができる。
また、水平回動部材４０の取付孔４０ｂが、長手方向に、複数形成されているので、吊上部材５０（５１、５２）の取付位置をパルセータ５の翼部５ｄの形状や水抜き孔５ｃの位置等に応じて適宜調整することができる。
【００５３】
また、吊上部材５０が、その先端部分に、パルセータ５にねじ込むためのネジ部が形成されている吊上ネジ部材５１を含んでいるので、パルセータ５に元々設けられている水抜き孔５ｃをネジ孔にして吊上ネジ部材５１を螺着させることができる。したがって、パルセータ５に余分な孔を形成することなく、パルセータ５を引き抜くことができ、また、パルセータ５も交換せずに再度使用することが可能となる。
【００５４】
また、吊上部材５０が、その先端部分に、パルセータ５に形成された引掛け孔５ｅに引っ掛けるための引掛け部が形成されている吊上フック部材５２を含んでいるので、パルセータ５とパルセータ回転軸６ｂとの癒着が激しく、上記した吊上ネジ部材５１を用いても取り外せない場合であっても、吊上フック部材５２をパルセータ５に形成された引掛け孔５ｅに引っ掛けて引き抜けば、ほぼ確実にパルセータ５を引き抜くことができる。
【００５５】
また吊上フック部材５２が、水平回動部材４０から吊下げる長さを調整するための調整部（螺着されたナット部材）を備えているので、パルセータ５の平面は凹凸形状となっているものが多く、吊上フック部材５２を取り付ける位置によっては、各水平回動部材４０からパルセータ５までの距離（高さ）が異なることとなっても、前記調整部により、各水平回動部材４０から吊下げられる吊上フック部材５２の長さを調整することができ、引抜き時に、各水平回動部材４０に取り付けられた吊上フック部材５２に加わる力の分配を均一にすることができ、スムーズにパルセータ５を引き抜くことができる。
【００５６】
なお、本考案は、上述の実施の形態に限定されるものではなく、本考案の要旨を逸脱しない範囲であれば、各部の形状、大きさ、材質などの種々の変更を行うことが可能である。
【００５７】
また、上記したパルセータ取外し用工具セットは、洗濯・脱水機能を有するパルセータ式の所謂、全自動洗濯機だけでなく、洗濯・脱水・乾燥機能を有するパルセータ式の洗濯機などにも使用することができ、パルセータ回転軸に被せた状態で嵌着され、該パルセータ回転軸とともにネジ部材で固着されたパルセータ式のあらゆる洗濯機に対して使用することができる。
【符号の説明】
【００５８】
１０  工具本体
２０  基体
３０  押込部材
４０  水平回動部材
４０ａ  挿通孔
４０ｂ  取付孔
５０  吊上部材
５１  吊上ネジ部材
５２  吊上フック部材
６０  軸当て部材
６０ａ  当接部
６０ｂ  突き当て部
【図１】
0003153555.tif 000003
【図２】
0003153555.tif 000004
【図３】
0003153555.tif 000005
【図４】
0003153555.tif 000006
【図５】
0003153555.tif 000007
【図６】
0003153555.tif 000008
【図７】
0003153555.tif 000009
【図８】
0003153555.tif 000010